(57)【特許請求の範囲】
【請求項１】
所定容積の空間に複数の遺骨を収容して供養する永代供養墓において、
所定の高さを有する矩形の壁石を所定数積み上げて形成された、前記空間を垂直に囲う外壁と、前記壁石相互の接合部に配置され、前記空間を水平に仕切る棚板とを備え、
前記棚板は、遺骨の収納器を載置する複数の窪みを有し、
上下の前記壁石の接合面には、棒状体を介して相互を固定する共通の穴が設けられている
ことを特徴とする永代供養墓。
【請求項２】
前記収納器は、外観が仏像であって、内部に浄還した故人の遺骨の一部を収容する空洞部分を有する
ことを特徴とする請求項１記載の永代供養墓。
【請求項３】
前記収納器は、前記棚板の何れかの窪みに粘着テープで固定される
ことを特徴とする請求項１又は２記載の永代供養墓。
【請求項４】
前記棚板は、前記外壁に沿って、コの字形に配置される
ことを特徴とする請求項１から３のうちの何れか１項記載の永代供養墓。
【請求項５】
前記接合部の下部側の壁石には、棚板を載せる切欠部が形成される
ことを特徴とする請求項１から４のうち何れか１項記載の永代供養墓。
【請求項６】
前記棚板真下の地中には、蓋石で覆われたカロートを有する
ことを特徴とする請求項１から５のうち何れか１項記載の永代供養墓。
【発明の詳細な説明】
【技術分野】
【０００１】
本発明は、永代供養墓に関し、より詳しくは狭い敷地に多数の遺骨を収容する永代供養墓に関するものである。
【背景技術】
【０００２】
従来、寺の敷地内に形成された墓地には壇家などの合祀墓が多数設置され、四季折々に先祖供養が営まれてきた。しかしながら、核家族化の進展や、国内各地への転勤、海外赴任などの増加により、墓を維持することや、先祖供養が困難となり、無縁墓となる事例が増大している。一方、都会地では、墓地の入手が困難なため、遠方の寺や霊園が管理する墓地を入手して、その寺や霊園に永代供養を委託する遺族、あるいは墓地を入手するまでの間、寺や霊園に預骨する遺族が増加する傾向にあり、同一敷地内に多数の骨壷を収容することが可能なさまざまな形態の墓が提案されている。
【０００３】
例えば、高層建物の中央に、吹き抜けのカロートを設け、そのカロート内に納骨できる窓をカロート外壁に設ける一方、カロート内には家ごとの仕切り壁と通気可能な底面とを設け、カロート外側の床面に墓標を建立するアパート式立体墓地（特許文献１参照）や、カロート外壁にコインロッカー式納骨室を設ける一方、カロート外側の床面に共用合祀墓と礼拝用仏像とを設置する立体合祀墓（特許文献２参照）、左右に長い筐体を形成し、その内部を前後に区画し、さらに左右に複数に分割することにより、前後一組からなる納骨室を複数形成し、複数の故人の遺骨を同一の墓地又は納骨堂内に納骨する永代納骨用集合型墓石（特許文献３参照）などが提案されている。
【０００４】
一方、多数の遺骨を一の骨壷収容室に収容する集合墓については、上部に仏像や献花台などを、その下部に筐体を設け、筐体内に多数の骨壷を収容する骨壷収容室と、その底部に土面が露出する収骨筒とを設置した集合墓（特許文献４参照）などが提案されているが、宗教儀式との関連性が希薄になるとの趣旨から、骨壷収容室に開閉棚を設け、その棚に骨壷を載置して遺族と僧侶による宗教儀式が行われた後に、内側の固定棚に骨壷を押し入れて開閉棚を閉じ、後刻僧侶等がその骨壷を所定の場所に収納する合祀納骨堂（特許文献５参照）や、骨壷収容室内に設ける納骨棚のうちの一台を移動可能にして、骨壷収容室内の通路の確保を図りつつ、骨壷の収容効率を向上させた合祀納骨堂（特許文献６参照）も提案されている。
【先行技術文献】
【特許文献】
【０００５】
【特許文献１】実開平０６−０５４８６５号公報
【特許文献２】実用新案登録第３０１３３６６号公報
【特許文献３】特開平１１−２４１５２７号公報
【特許文献４】実公平０６−０３６１８７号公報
【特許文献５】特開２００１−２２０９２４号公報
【特許文献６】特開２００９−２８７２９５号公報
【発明の概要】
【発明が解決しようとする課題】
【０００６】
しかしながら、提案されている鉄筋コンクリート式の立体墓地や立体合祀墓などは、建造物自体の耐用年数が限られるため、墓を維持管理すべき期間との間に乖離が生じる恐れがある。また、石造りの集合墓や納骨堂であっても、遺骨の全てが収納された骨壷を収容する限り、同一空間内に収容できる遺骨の数には、限界がある。
【０００７】
本発明は、上記事情に鑑み、骨壷よりもサイズの小さい収納器に遺骨の一部を収納して一定期間安置する一方、地中のカロートに遺骨を合祀することにより、より多くの遺骨を収容可能な永代供養墓を提供することを目的とする。
【課題を解決するための手段】
【０００８】
本発明の永代供養墓は、所定容積の空間に複数の遺骨を収容して供養する永代供養墓において、所定の高さを有する矩形の壁石を所定数積み上げて形成された、上記空間を垂直に囲う外壁と、上記壁石相互の接合部に配置され、上記空間を水平に仕切る棚板とを備え、上記棚板は、浄還した遺骨の一部を収容した収納器を載置する複数の窪みを有することを特徴とする。
【０００９】
このように、遺骨を浄還（遺骨を粉末状にすること。以下同じ。）し、その一部を収容した収納器を棚板の複数の窪みに載置するので、同一空間内により多くの遺骨を収容できる。また、収納器は、骨壺に比べてはるかに小さいので、移動が容易である。
【００１０】
ここで、上記収納器は、外観が仏像であって、底面に上記遺骨を収容する空洞部分に通じる開口を有すること、上記収納器は、上記棚板の何れかの窪みに粘着テープ又は接着剤で固定されることが好ましい。
【００１１】
このように、底面に開口を設けておけば、浄還した遺骨の出し入れが容易であり、粘着テープ又は接着剤で棚板の窪みに固定すれば、地震などがあっても収容器が倒れない。
【００１２】
また、外観が仏像なので、仏壇に安置しても違和感がない。
また、上記棚板は、上記外壁に沿って、コの字形に配置されることが好ましい。
このように、棚板を配置すれば、多数の収容器を載せることができる。
【００１３】
また、上記接合部の下部側の壁石には、棚板を載せる切欠部が形成される一方、上下の壁石の接合面には、棒状体を介して相互を固定する共通の穴が設けられていることが好ましい。
このようにすれば、地震などで壁石が崩れる恐れが少ないし、棚板も安定する。
【００１４】
さらに、上記棚板真下の地中には、蓋石で覆われたカロートを有することが好ましい。
このように、カロートを棚板の真下に配置すれば、狭いスペースを有効に活用できる。
【００１５】
ここで、本発明の永代供養墓で供養する場合には、火葬に付された故人の遺骨を浄還して、一部を収納器に収納して仏壇に安置するか、若しくは七回忌まで永代供養墓に収容して供養し、七回忌が過ぎた、上記収容器に収納された遺骨を、カロートに合祀して供養する。そして、浄還した残余の遺骨は、上記カロートに合祀することができる。
【発明の効果】
【００１６】
本発明の永代供養墓によれば、骨壷よりもサイズの小さい、外観が仏像などの収納器に浄還した遺骨の一部を収納して安置する一方、一定期間経過した遺骨、あるいは浄還した残余の遺骨は地中のカロートに合祀することができるので、永代供養墓の占有面積を小さくした上、その中により多くの遺骨を収容することができる。また、収容器の大きさが骨壺よりもはるかに小さい上、外観が仏像なので、仏壇に長期間安置しても違和感がなく、移動も容易である。
【図面の簡単な説明】
【００１７】
【図１】本実施形態の永代供養墓を一例として示す斜視面である。
【図２】本実施形態の永代供養墓を一例として示す背面図である。
【図３】本実施形態の永代供養墓の積上外壁及び外壁で囲われた空間の上部を覆う天板等の分解図である。
【図４】本実施形態の一段目の壁石と棚板との関係を示す図である。
【図５】本実施形態の二段目の壁石と棚板との関係を示す図である。
【図６】本実施形態の三段目の壁石と棚板との関係を示す図である。
【図７】二段目の左右の壁石の接合面を示す正面図である。
【図８】二段目の左右の壁石の接合面を示す斜視図である。
【図９】二段目の前側の右の壁石の接合面を示す正面図である。
【図１０】二段目の前側の右の壁石の接合面を示す斜視図である。
【図１１】二段目の後側の右の壁石の接合面を示す正面図である。
【図１２】二段目の後側の右の壁石の接合面を示す斜視図である。
【図１３】四段目の左右の壁石の接合面を示す正面図である。
【図１４】四段目の左右の壁石の接合面を示す斜視図である。
【図１５】前側の積上外壁の近傍に配置される棚受けを示す図である。
【図１６】外壁で囲われる空間の床面を示す図である。
【図１７】本実施形態の収容器の外観の一例を示す図である。
【図１８】本実施形態の収容器の底面の一例を示す図である。
【発明を実施するための形態】
【００１８】
以下に、本発明の永代供養墓の実施形態について説明する。
図１及び図２は、本実施形態の永代供養墓を一例として示す図であり、図１は斜め前方から見た斜視面、図２は後方から見た背面図である。
【００１９】
図１に示すように、本実施形態の永代供養墓１の正面及び側面には、矩形の壁石を積み上げて垂直に形成された積上外壁２と、一の縦長の壁石で形成された一枚外壁３と、積上外壁２及び一枚外壁３（以下、「外壁」と称する。）で囲われた空間の上部を覆う、天板４、天板４に立設された上石５、及び上石５に載置された笠石６と、積上外壁２の周囲に貼付された戒名板７と、階段８と、塔婆立９と、門柱１０と、土台１１と、花立１２と、香炉１３と、台座１４と、蓮華台１５と、観音像１６と、を備えており、積上外壁２及び上石５には、自然換気のための通気口１７が開いている。そして、外壁に囲われた、図に現れない室内空間には、遺骨を収納した収容器２６を載せる棚板が配置されている。また、図に現れない地下には、基礎台及びカロート２０が設けてあり、永代供養墓１に至る通路には、踏石１８が敷かれている。
【００２０】
図２に示すように、本実施形態の永代供養墓１の背面には、矩形の壁石を積み上げて垂直に形成された積上外壁２と、外壁で囲われた空間の上部を覆う、天板４、天板４に立設された上石５、及び上石５に載置された笠石６と、積上外壁２の周囲に張り付けられた戒名板７と、外壁に囲われた室内空間に出入りする扉１９とを備えており、積上外壁２及び上石５には、通気口１７が開いている。また、地下には、基礎台及びカロート２０が設けてあり、永代供養墓１に至る通路には、踏石１８が敷かれている。
図に現れない室内空間には、扉１９を開けて出入し、遺骨を収納した収容器２６を棚板に載せたり、収容器２６の遺骨をカロート２０に合祀することができる。
【００２１】
図３は、本実施形態の永代供養墓の積上外壁及び外壁で囲われた空間の上部を覆う天板等の分解図である。
図３に示すように、積上外壁２は、左右の積上外壁２−１と、前後の積上外壁２−２とからなる。左右の積上外壁２−１は、左右２か所に通気口１７が設けられた一段目の左右の壁石３１、通気口が設けられていない二段目の左右の壁石３２、通気口が設けられていない三段目の左右の壁石３３、中央１か所に通気口が設けられた四段目の左右の壁石３４で構成されている。前後の積上外壁２−２のうち、前側は、一枚外壁３を挟んで左右それぞれに形成される一段目から四段目までの前側の壁石４１〜４４により構成され、後側は、扉を挟んで左右それぞれに形成される一段目から四段目までの後側の壁石５６〜５９と、四段目の後側の中央に壁石５５とにより構成されている。そして、積上外壁２の上には、前後に分かれる天板４が載置される。天板４の中央部には矩形の開口４ａがあり、開口４ａの端縁４ｂには通気口１７が設けられた前後上石５−１と、通気口１７が設けられていない左右上石５−２が立設される。また、前後上石５−１及び左右上石５−２で形成された矩形の開口５ａは笠石６で塞がれる。 
【００２２】
図４から図６は、本実施形態の積上外壁を構成する壁石と棚板との関係を示す図であり、図４は、一段目の壁石と棚板、図５は、二段目の壁石と棚板、図６は、三段目の壁石と棚板を示す図である。
図４に示すように、一段目の壁石は、左右の壁石３１と、前側の壁石４１と、後側の壁石５６と、からなる。左右の壁石３１は、左右２か所に通気口１７が設けてある。前側の壁石４１は、一枚外壁３を挟んで左右それぞれに配置される。後側の壁石５６は、扉１９を挟んで左右それぞれに配置される。そして、一段目の左右の壁石３１それぞれの、二段目の左右の壁石３２それぞれとの接合面３１ａ、及び一段目の前側の壁石４１及び後側の壁石５６それぞれの、二段目の前側の壁石４２及び後側の壁石５７それぞれとの接合面４１ａ、５６ａには、棒状体を介して二段目の左右の壁石３２、前側の壁石４２及び後側の壁石５７と接合する共通の穴が設けられ、またそれぞれの接合面３１ａ、４１ａ、５６ａの室内側には、切欠部３１ｂ、４１ｂ、５６ｂが形成されている。
【００２３】
そして、左右の壁石３１の切欠部３１ｂそれぞれと、前側の壁石４１及び後側の壁石５６それぞれの切欠部４１ｂ、５６ｂには複数の窪み２１を有する左右の棚板２２が水平に載置されている。一方、前側の壁石４１の近傍には、一段目の棚板受け２４が左右の壁石３１と平行に配置されている。そして、一段目の棚板受け２４ａと左右の壁石３１の切欠部３１ｂとにはプレーンな前側の棚板２３が載置される。
【００２４】
本実施形態の左右の棚板２２それぞれには、遺骨を収容した外観が仏像の収容器２６を載せる各列１４個の窪み２１が三列設けてあるので、一段目の左右の棚板２２には、８４の収容器２６を載せることができる。なお、棚板受け２４に載せられた棚板２３には、窪み２１を設けていないが、窪み２１を設けることにしてもよい。
【００２５】
図５に示すように、二段目の壁石は、左右の壁石３２と、前側の壁石４２と、後側の壁石５７と、からなる。左右の壁石３２は、通気口が設けられていない。前側の壁石４２は、一枚外壁３を挟んで左右それぞれに配置される。後側の壁石５７は、扉１９を挟んで左右それぞれに配置される。そして、二段目の左右の壁石３２それぞれの、三段目の左右の壁石３３それぞれとの接合面３２ａ、及び二段目の前側の壁石４２及び後側の壁石５７それぞれの、三段目の前側の壁石４３及び後側の壁石５８それぞれとの接合面４２ａ、５７ａには、棒状体を介して三段目の左右の壁石３３、前側の壁石４３及び後側の壁石５８と接合する共通の穴４２ｃが設けられ、またそれぞれの接合面３２ａ、４２ａ、５７ａの室内側には、切欠部３２ｂ、４２ｂ、５７ｂが形成されている。
【００２６】
そして、左右の壁石３２の切欠部３２ｂそれぞれと、前側の壁石４２及び後側の壁石５７それぞれの切欠部４２ｂ、５７ｂには複数の窪み２１を有する左右の棚板２２が水平に載置されている。一方、前側の壁石４２の近傍には、二段目の棚板受け２４ｂが一段目の棚受け２４ａの真上に配置され、二段目の棚板受け２４ｂと左右の壁石３２の切欠部３２ｂとには、複数の窪み２１を有する前側の棚板２５が水平に載置されている。
【００２７】
本実施形態の左右の棚板２２それぞれには、遺骨を収容した外観が仏像の収容器２６を載せる各列１４個の窪みが三列設けてあるので、左右の棚板には、８４個の収容器を載せることができ、前側の棚板２５には、収容器を載せる各列７個の窪みが三列設けてあるので、２１個の収容器２６を載せることができる。
【００２８】
図６に示すように、三段目の壁石は、左右の壁石３３と、前側の壁石４３と、後側の壁石５８と、からなる。左右の壁石３３は、通気口が設けられていない。前側の壁石４３は、一枚外壁３を挟んで左右それぞれに配置される。後側の壁石５８は、扉１９を挟んで左右それぞれに配置される。そして、三段目の左右の壁石３３それぞれの、四段目の左右の壁石３４それぞれとの接合面３３ａ、及び三段目の前側の壁石４３及び後側の壁石５８それぞれの、四段目の前側の壁石４４及び後側の壁石５９それぞれとの接合面４３ａ、５８ａには、棒状体を介して四段目の左右の壁石３４、前側の壁石４４及び後側の壁石５９と接合する共通の穴が設けられ、またそれぞれの接合面３３ａ、４３ａ、５８ａの室内側には、切欠部３３ｂ、４３ｂ、５８ｂが形成されている。
【００２９】
そして、左右の壁石３３の切欠部３３ｂそれぞれと、前側の壁石４３及び後側の壁石５８それぞれの切欠部４３ｂ、５８ｂには複数の窪み２１を有する左右の棚板２２が水平に載置されている。一方、前側の壁石４３の近傍には、三段目の棚板受け２４ｃが二段目の棚受け２４ｂの真上に配置され、三段目の棚板受け２４ｃと左右の壁石３３の切欠部３３ｂとには、複数の窪み２１を有する前側の棚板２５が水平に載置されている。
本実施形態の左右の棚板２２それぞれには、遺骨を収容した外観が仏像の収容器２６を載せる各列１４個の窪みが三列設けてあるので、左右の棚板には、８４個の収容器を載せることができ、前側の棚板２５には、収容器を載せる各列７個の窪みが三列設けてあるので、２１個の収容器２６を載せることができる。
【００３０】
また、積上外壁２を形成する三段目の壁石の外周には、左右それぞれ二段で、１０４枚ずつ、合計２０８枚の戒名板７を貼付することができる。ちなみに、四段目の壁石の外周には、左右それぞれ一段で、５２枚ずつ、合計１０４枚の戒名板を貼付することができるので、全体では３２１枚の戒名板が貼付可能になっているが、必ずしもこれに限定されない。
【００３１】
ここで、本実施形態の永代供養墓１は、高さが２０センチメートルの壁石を四段積み重ねることで積上外壁２が形成され、棚板は、三段になっている。そして、三段の棚板には３００の収容器２６が載置できるように３００の窪み２１が形成されているが、棚板の段数、壁石の高さ、窪みの総数は、一例であって、必ずしもこれらの数値に限定されない。
【００３２】
図７から図１４は、積上外壁を構成する壁石相互の接合面の代表例を示す図であり、図７及び図８は、二段目の左右の壁石の接合面を示す正面図及び斜視図、図９及び図１０は、二段目の前側の右の壁石の接合面を示す正面図及び斜視図。図１１及び図１２は、二段目の後側の右の壁石の接合面を示す正面図及び斜視図、図１３及び図１４は、四段目の左右の壁石の接合面を示す正面図及び斜視図である。
【００３３】
図７及び図８に示すように、二段目の左右の壁石３２の接合面３２ａには、上下それぞれ４つずつ、穴（破線で示す）３２ｃが開いている。上の４つの穴３２ｃは、三段目の左右の壁石３３に設けられた下の４つの穴３３ｃと合致する位置に、また下の４つの穴３２ｃは、一段目の左右の壁石３１に設けられた４つの穴３１ｃと合致する位置に開けられているので、それぞれにステンレスの棒（図示していない）を挿入し、接着剤で接着することにより、各段の壁石を固定することができる。また、二段目の左右の壁石３２の接合面３２ａの内側には、切欠部３２ｂがあり、同様に、前後の壁石４２、５７の接合面４２ａ、５７ａの内側にも、切欠部４２ｂ、５７ｂがあるので、それらに棚板２２を載せて固定することができる。
【００３４】
図９からび図１２に示すように、二段目の前側の壁石４２の接合面４２ａ、二段目の後側の壁石５７の接合面５７ａには、上下それぞれ２つずつ、穴（破線で示す）４２ｃ、５７ｃが開いている。上の２つの穴４２ｃ、５６ｃは、三段目の前側の壁石４３の接合面４３ａ、三段目の後側の壁石５７の接合面５７ａそれぞれに設けられた下の２つの穴４３ｃ、５７ｃと合致する位置に、また下の２つの穴４２ｃ、５７ｃは、一段目の前側の壁石４１の接合面４１ａ、一段目の後側の壁石５６の接合面５６ａそれぞれに設けられた２つの穴４１ｃ、５６ｃと合致する位置に開けられているので、それぞれにステンレスの棒（図示しない）を挿入し、接着剤で接着することにより、各段の壁石を固定することができる。また、前側の壁石４２の接合面４２ａの内側、後側の壁石５７の接合面５７ａの内側には、それぞれ切欠部４２ｂ、５７ｂがあるので、それらに前側棚板２５を載せて固定することができる。
【００３５】
図１３及び図１４に示すように、四段目の左右の壁石３４は、中央に通気口１７があり、接合面３４ａには、下に４つの穴（破線で示す）３４ｃが、上に２つの穴３４ｃが開いている。下の４つの穴は、三段目の左右の壁石に設けられた上の４つの穴と合致する位置に、また上の２つの穴３４ｃは、天板４に設けられた穴と合致する位置に、それぞれ開けられているので、それぞれにステンレスの棒を挿入し、接着剤で接着することにより、四段目の左右の壁石３４、前側の壁石４４、後側の壁石５９、及び後側中央の壁石５５と天板４とを固定することができる。
【００３６】
図１５は、前側の壁石近傍に配置される棚受けを示す図である。
図１５に示すように、前側の壁石近傍には、棚受け２３、２５が載置される棚受け２４が配置される。一段目の棚受け２４ａの上にはプレーンな棚板２３が載置され、そのプレーンな棚板２３上の一段目の棚受け２４ａの真上には、二段目の棚受け２４ｂが載置される。そして、二段目の棚受け２４ｂの上には棚板２５が載置され、その棚板２５上の二段目の棚受け２４ｂの真上には、三段目の棚受け２４ｃが載置され、三段目の棚受け２４ｃの上には棚板２５が載置されている。なお、各段の棚板２３、２５は、図示していない前側の壁石４１、４２、４３それぞれの切欠部４１ｂ、４２ｂ、４３ｂにも載置される。
【００３７】
図１６は、外壁で囲われる内部空間の床面を示す図である。
図１６に示すように、背面の扉１９の入口、及び内部には、収容器２６を窪み２１のある棚板２２、２５に載置したり、遺骨をカロート２０に納めるために内部空間に出入りする人のための敷石６０が配置され、敷石６０の周囲の、棚板直下の地下に設置された、図に現れないカロート２０を覆う、蓋石６１が開閉自在に載置されている。
【００３８】
図１７及び図１８は、本実施形態の収容器の一例を示す図であり、図１７は、外観を示す正面図、図１８は、底面を示す図である。
図１７に示すように、本実施形態の収容器２６は、陶器又はプラスチックで成形された観音像で、高さは、０．１８メートルに設定されている。ただし、ここで示す収容器２６は、一例であって、必ずしもこの外観及びサイズに限定されない。
【００３９】
図１８に示すように、本実施形態の収容器２６は、外観が観音像であり、内部に空洞があり、底面２６ａには、空洞部分に通じる開口２６ｂがある。この開口２６ｂから、浄還した粉末状の遺骨を収納し、プラスチックなど弾性を有する栓で開口２６ｂを塞ぎ、棚板の窪み２１に観音像の底部を嵌め込んで固定するか、あるいは粘着テープ又は接着剤で窪み２１に固定する。
【００４０】
ここで、本実施形態の収容器２６の底面２６ｂは、窪み２１の形状に合わせて楕円形に形成され、サイズは、長径が２．５センチメートル、短径が２センチメートルに設定されているが、ここで示す形状及びサイズは一例であって、必ずしもこの形状及びサイズに限定されない。
【００４１】
本実施形態の永代供養墓１に収容して供養する場合には、火葬に付された故人の遺骨を浄還し、浄還した遺骨の一部を、外観が観音像の収納器２６の空洞部分に収納し、浄還した遺骨の残余を、永代供養墓のカロートに合祀する。浄還した遺骨の一部を収納した観音像の収容器２６を、直ちに若しくは少なくとも百日間仏壇に安置した後に、永代供養墓１の棚板２２、２５に安置して七回忌まで供養し、七回忌が過ぎた後に、観音像の収容器２６に収納された遺骨を、カロートに合祀して３３回忌まで供養する。
【産業上の利用可能性】
【００４２】
本発明の永代供養墓は、末永く永代に供養するためのお墓として広く適用できる。
【符号の説明】
【００４３】
１・・永代供養墓、２・・積上外壁、２−１・・左右の外壁、２−２・・前後の外壁、３・・一枚外壁、４・・天板、４ａ，５ａ，２６ｂ・・開口、４ｂ・・端縁、５・・上石、５−１・・前後上石、５−２・・左右上石、６・・笠石、７・・戒名板、８・・階段、９・・塔婆立、１０・・門柱、１１・・土台、１２・・花立、１３・・香炉、１４・・台座、１５・・蓮華台、１６・・観音像、１７・・通気口、１８・・踏石、１９・・扉、２０・・カロート、２１・・窪み、２２・・左右の棚板、２３，２５・・前後の棚板、２４・・棚板受け、２４ａ・・一段目の棚板、２４ｂ・・二段目の棚板、２４ｃ・・三段目の棚板、２６・・収容器、２６ａ・・底面、３１，３２，３３，３４・・左右の壁石、３１ａ，３２ａ，３３ａ，４１ａ，４２ａ，４３ａ，５６ａ，５７ａ，５８ａ・・接合面、３１ｂ，３２ｂ，３３ｂ，４１ｂ，４２ｂ，４３ｂ，５６ｂ，５７ｂ，５８ｂ・・切欠部、３１ｃ，３２ｃ，３３ｃ，４１ｃ，４２ｃ，４３ｃ，５６ｃ，５７ｃ，５８ｃ・・穴、４１，４２，４３，４４・・前側の壁石、５５・・後側の中央の壁石、５６，５７，５８，５９・・後側の壁石、６０・・敷石、６１・・蓋石。
【図１】
0005613269.tif 000002
【図２】
0005613269.tif 000003
【図３】
0005613269.tif 000004
【図４】
0005613269.tif 000005
【図５】
0005613269.tif 000006
【図６】
0005613269.tif 000007
【図７】
0005613269.tif 000008
【図８】
0005613269.tif 000009
【図９】
0005613269.tif 000010
【図１０】
0005613269.tif 000011
【図１１】
0005613269.tif 000012
【図１２】
0005613269.tif 000013
【図１３】
0005613269.tif 000014
【図１４】
0005613269.tif 000015
【図１５】
0005613269.tif 000016
【図１６】
0005613269.tif 000017
【図１７】
0005613269.tif 000018
【図１８】
0005613269.tif 000019